(57)【要約】【課題】ユーザが各施設の利用状況を考慮して目的地を設定することが可能な目的地設定装置を提供する。【解決手段】目的地設定装置１０は、施設検索部１１、情報取得部１２、表示処理部１３および目的地設定部１４を備えている。施設検索部１１は、ユーザが指定したジャンルの施設を検索する。情報取得部１２は、施設検索部１１が検出した施設の利用状況を示す利用状況情報を取得する。表示処理部１３は、情報取得部１２が取得した利用状況情報に基づいて、施設検索部１１が検出した施設の利用状況を示す検索結果画面を表示装置２５に表示させる。目的地設定部１４は、検索結果画面に表示された施設のうちからユーザが選択した施設を目的地として設定する。【選択図】図１
2018128363.tif 000002
【特許請求の範囲】
【請求項１】
ユーザが指定したジャンルの施設を検索する施設検索部と、
前記施設検索部が検出した施設の利用状況を示す利用状況情報を取得する情報取得部と、
前記利用状況情報に基づいて、前記施設検索部が検出した施設の利用状況を示す第１の画面を表示装置に表示させる表示処理部と、
前記第１の画面に表示された施設のうちから前記ユーザが選択した施設を目的地として設定する目的地設定部と、
を備える目的地設定装置。
【請求項２】
前記表示処理部は、前記ユーザの操作に応じて、前記第１の画面を含む複数の画面を切り替えて前記表示装置に表示させ、
前記複数の画面には、前記第１の画面に表示された施設の利用状況を前記第１の画面よりも詳細に示す第２の画面が含まれている
請求項１に記載の目的地設定装置。
【請求項３】
前記第２の画面には、施設内の設備の利用率の表示、施設を利用するための待ち時間の表示、施設の利用を待っている人数の表示、施設内の設備の位置および当該設備の利用状況を示すマップの表示のうちの少なくとも１つ以上が含まれている
請求項２に記載の目的地設定装置。
【請求項４】
利用できない状況にある施設が前記ユーザにより前記目的地として選択された場合、前記表示処理部は、当該施設を前記目的地として確定させるか否かを前記ユーザに確認する第３の画面を前記表示装置に表示させる
請求項１から請求項３のいずれか一項に記載の目的地設定装置。
【請求項５】
前記情報取得部は、さらに、前記施設検索部が検出した施設の時間毎の利用状況の統計を示す利用統計情報を取得し、
前記目的地への到着予定時刻および前記利用統計情報に基づいて、前記到着予定時刻における前記目的地の施設の利用状況を予測する利用状況予測部をさらに備え、
前記目的地の施設が前記到着予定時刻に利用できないと予測された場合、前記表示処理部は、当該施設を前記目的地として確定させるか否かを前記ユーザに確認する第４の画面を前記表示装置に表示させる
請求項１から請求項４のいずれか一項に記載の目的地設定装置。
【請求項６】
前記情報取得部は、前記目的地が設定された後、前記目的地の施設の前記利用状況情報を継続して取得し、
前記目的地の施設が利用できない状況になると、前記表示処理部は、前記目的地を変更するか否かを前記ユーザに確認する第５の画面を前記表示装置に表示させる
請求項１から請求項５のいずれか一項に記載の目的地設定装置。
【請求項７】
請求項１から請求項６のいずれか一項に記載の目的地設定装置と、
前記ユーザに対し、前記目的地設定装置が設定した前記目的地までの経路を案内するナビゲーション装置と、
を備えるナビゲーションシステム。
【請求項８】
目的地設定装置における目的地設定方法であって、
前記目的地設定装置の施設検索部が、ユーザが指定したジャンルの施設を検索し、
前記目的地設定装置の情報取得部が、前記施設検索部が検出した施設の利用状況を示す利用状況情報を取得し、
前記目的地設定装置の表示処理部が、前記利用状況情報に基づいて、前記施設検索部が検出した施設の利用状況を示す第１の画面を表示装置に表示させ、
前記目的地設定装置の目的地設定部が、前記第１の画面に表示された施設のうちから前記ユーザが選択した施設を目的地として設定する
目的地設定方法。
【発明の詳細な説明】
【技術分野】
【０００１】
本発明は、ナビゲーション装置に目的地を設定する目的地設定装置に関する。
【背景技術】
【０００２】
近年、ビッグデータと呼ばれる大量の情報が世の中にあふれており、それを解析して活用する技術の開発が進んでいる。例えば下記の特許文献１には、駐車場の空き情報を取得して、目的地の駐車場が満車か否かを判定し、満車であるときは空きのある他の駐車場に目的地を変更するナビゲーション装置が提案されている。また、特許文献１のナビゲーション装置は、時間帯別の過去の混雑状況を表す統計情報に基づいて、車両が目的地の駐車場に到着する前にその駐車場が満車になるか否かを予測することも可能である。
【先行技術文献】
【特許文献】
【０００３】
【特許文献１】特開２００９−１４５３６号公報
【発明の概要】
【発明が解決しようとする課題】
【０００４】
特許文献１のナビゲーション装置では、ユーザが他の駐車場に予め優先順位を付与しておき、目的地の駐車場が満車になったときに優先順位の高い駐車場の中から空きのある駐車場が検索される。
【０００５】
しかし、駐車場が満車か否かだけを目的地の選択基準にすると非効率な場合もある。例えば、空きのある駐車場であっても、空きの駐車スペースの残数が少なければ、すぐに満車になることがある。逆に、満車の駐車場であっても、空きの駐車スペースができるのを待っている車両が無ければ、すぐに入庫できることがある。そのため、ユーザにとっては、各駐車場に空きがあるか否かだけでなく、各駐車場の利用状況（例えば混雑状況など）も把握できることが好ましい。
【０００６】
本発明は以上のような課題を解決するためになされたものであり、ユーザが各施設の利用状況を考慮して目的地を設定することが可能な目的地設定装置を提供することを目的とする。
【課題を解決するための手段】
【０００７】
本発明に係る目的地設定装置は、ユーザが指定したジャンルの施設を検索する施設検索部と、施設検索部が検出した施設の利用状況を示す利用状況情報を取得する情報取得部と、利用状況情報に基づいて、施設検索部が検出した施設の利用状況を示す第１の画面を表示装置に表示させる表示処理部と、第１の画面に表示された施設のうちからユーザが選択した施設を目的地として設定する目的地設定部と、を備える。
【発明の効果】
【０００８】
本発明によれば、施設検索によって検出された施設の利用状況をユーザに提示することができる。よって、ユーザは、各施設の利用状況を考慮して目的地を設定することができる。
【図面の簡単な説明】
【０００９】
【図１】実施の形態１に係る目的地設定装置を備えたナビゲーションシステムの構成図である。
【図２】施設情報サーバの概要を説明するための図である。
【図３】目的地設定装置のハードウェア構成の例を示す図である。
【図４】目的地設定装置のハードウェア構成の例を示す図である。
【図５】実施の形態１に係る目的地設定装置の動作を示すフローチャートである。
【図６】操作メニュー画面の例を示す図である。
【図７】施設ジャンル選択画面の例を示す図である。
【図８】検索結果画面の例を示す図である。
【図９】利用状況詳細画面の例を示す図である。
【図１０】利用状況マップ画面の例を示す図である。
【図１１】利用できない状況にある施設が目的地となった場合の確認画面の例を示す図である。
【図１２】目的地設定後における目的地設定装置の動作を示すフローチャートである。
【図１３】目的地の設定後に、目的地の施設が利用できない状況になった場合の確認画面の例を示す図である。
【図１４】実施の形態２に係る目的地設定装置を備えるナビゲーションシステムの構成図である。
【図１５】実施の形態２に係る目的地設定装置の動作を示すフローチャートである。
【図１６】利用状況詳細画面の例を示す図である。
【図１７】目的地への到着予定時刻に施設を利用できないと予測された場合に表示される確認画面の例を示す図である。
【発明を実施するための形態】
【００１０】
＜実施の形態１＞
図１は、実施の形態１に係るナビゲーションシステムの構成図である。図１のように、当該ナビゲーションシステムは、目的地設定装置１０と、それに接続されたナビゲーション装置２０、操作入力装置２１、現在位置算出装置２２、地図情報記憶装置２３、通信装置２４および表示装置２５とを備えている。
【００１１】
また、本実施の形態では、当該ナビゲーションシステムが車両に搭載されているものと仮定する。以下、当該ナビゲーションシステムを搭載した車両を「自車両」という。ただし、本発明の適用は車両用のナビゲーションシステムに限られるものではなく、例えば、歩行者用のナビゲーションシステムや、ナビゲーション機能を有する携帯電話やスマートフォンにも本発明は適用可能である。また、携帯端末（例えば携帯電話、スマートフォン、及びタブレットなど）とサーバなどを適宜に組み合せて構築されるナビゲーションシステムにも適用することができる。この場合、ナビゲーションシステムの各機能あるいは各構成要素は、当該システムを構築する各機器に分散して配置される。
【００１２】
目的地設定装置１０は、ナビゲーション装置２０に目的地を設定するものである。ナビゲーション装置２０は、自車両の現在位置から目的地設定装置１０が設定した目的地までの経路を探索し、ユーザ（主に自車両の運転者）にその経路を案内する。ナビゲーション装置２０の動作は、一般的なナビゲーション装置と同様でよいため、詳細な説明は省略する。
【００１３】
操作入力装置２１は、ユーザが目的地設定装置１０に対する操作を行うためのユーザインターフェイスである。操作入力装置２１は、キーボードや押しボタン、操作レバー、タッチパッドのようなハードウェアであってもよいし、画面に表示されるソフトウェアキーであってもよい。
【００１４】
現在位置算出装置２２は、例えばＧＰＳ（Global Positioning System）衛星から受信した測位信号を用いて、自車両の現在位置を算出する。地図情報記憶装置２３は、道路網のデータや施設の位置データなどの地図情報が記憶された記憶媒体である。
【００１５】
通信装置２４は、目的地設定装置１０が、様々な施設（例えばトイレ、駐車場、レストラン、遊園地など）の利用状況を示す情報（以下「利用状況情報」という）を取得するための通信手段である。なお、通信装置２４は、専用の通信機でもよいし、携帯電話やスマートフォンなど一般的な通信機でもよい。
【００１６】
利用状況情報は、利用状況情報のデータを管理する施設情報サーバ１００から配信される。施設情報サーバ１００は、図２のように、複数の施設１０１〜１０８からその利用状況情報を収集し、収集した利用状況情報からなるビッグデータを管理する。また、施設情報サーバ１００は、目的地設定装置１０からの要求に応じて、施設の利用状況情報を、その要求元の目的地設定装置１０へ送信する。利用状況情報は、施設に空きがあるか否かの情報だけでなく、施設内の個々の設備が利用中か否かの情報や、施設の混雑状況（例えば、施設内の設備の利用率、施設を利用するための待ち時間等）など、施設の利用状況に関する詳細な情報が含まれている。
【００１７】
なお、各施設の利用状況情報は、施設情報サーバ１００へ送信されるだけでなく、個々の施設で活用されてもよい。例えば、施設の警備システムに、利用状況情報に基づき設備の利用時間の長さを測定し、同じ利用者による利用時間が一般的な利用時間の長さを超えると電子メールやアラームで施設の管理者へ通知する機能を設けることで、施設での事故の防止または早期検知を図ることなどが考えられる。
【００１８】
表示装置２５は、目的地設定装置１０がユーザに情報を提示するためのユーザインターフェイスであり、例えば液晶表示装置などで構成される。また、表示装置２５に、操作入力装置２１としてのソフトウェアキーを表示させてもよく、その場合、操作入力装置２１および表示装置２５は１つのタッチパネルとして構成される。また、操作入力装置２１および表示装置２５は、目的地設定装置１０専用の装置である必要はなく、自車両に搭載されている他の機器（例えばナビゲーション装置２０）と共用されてもよい。
【００１９】
図１では、目的地設定装置１０、ナビゲーション装置２０、操作入力装置２１、現在位置算出装置２２、地図情報記憶装置２３、通信装置２４および表示装置２５を、それぞれ個別の装置として示したが、それらの２つ以上が一体的に構成されてもよい。例えば、目的地設定装置１０は、ナビゲーション装置２０内に搭載されていてもよい。
【００２０】
次に、目的地設定装置１０の構成の詳細を説明する。図１のように、目的地設定装置１０は、施設検索部１１、情報取得部１２、表示処理部１３および目的地設定部１４を備えている。
【００２１】
施設検索部１１は、ユーザが指定したジャンルに該当する施設を、地図情報記憶装置２３に記憶されている地図情報を用いて検索する。施設のジャンルの指定は、ユーザが操作入力装置２１を操作することにより行われる。また、施設検索部１１が施設を検索する範囲は、自車両の現在位置から一定範囲内でもよいし、ユーザが指定した地域（例えば都道府県など）内の範囲でもよい。
【００２２】
情報取得部１２は、通信装置２４を制御して施設情報サーバ１００との通信を行い、施設検索部１１が検出した施設の利用状況情報を取得する。
【００２３】
表示処理部１３は、表示装置２５に各種の画面を表示させることで、ユーザに情報を提示する。例えば表示処理部１３は、施設検索部１１による施設の検索結果を、各施設の利用状況と共に示す検索結果画面（例えば図８）を表示装置２５に表示させる。すなわち、検索結果画面には、施設検索部１１が検出した施設の表示と、当該施設の利用状況の表示とが含まれている。
【００２４】
また、表示処理部１３は、ユーザの操作に応じて、複数の画面を切り替えて表示装置２５に表示させることができる。例えば、検索結果画面の表示中に、ユーザが操作入力装置２１を用いて特定の操作を行うと、表示装置２５の表示を、各施設の利用状況を検索結果画面よりも詳細に示す利用状況詳細画面（例えば図９）に切り替えることができる。さらに、ユーザは、利用状況詳細画面の表示中に、ユーザが操作入力装置２１を用いて特定の操作を行うと、表示装置２５の表示を、施設内の設備の位置および当該設備の利用状況を示すマップを示す利用状況マップ画面（例えば図１０）に切り替えることができる。表示装置２５において、複数の画面が切り替わる具体例は後に示す。
【００２５】
目的地設定部１４は、検索結果画面に表示された施設のうちからユーザが選択した施設を、ナビゲーション装置２０に目的地として設定する。目的地とする施設の選択も、ユーザが操作入力装置２１を操作することにより行われる。
【００２６】
図３および図４は、それぞれ目的地設定装置１０のハードウェア構成の一例を示す図である。図１に示した目的地設定装置１０の各要素（施設検索部１１、情報取得部１２、表示処理部１３および目的地設定部１４）は、例えば図３に示す処理回路５０により実現される。すなわち、処理回路５０は、ユーザが指定したジャンルの施設を検索する施設検索部１１と、施設検索部１１が検出した施設の利用状況を示す利用状況情報を取得する情報取得部１２と、利用状況情報に基づいて、施設検索部１１が検出した施設の利用状況を示す画面を表示装置２５に表示させる表示処理部１３と、その画面に表示された施設のうちからユーザが選択した施設を目的地として設定する目的地設定部１４と、を備える。処理回路５０には、専用のハードウェアが適用されてもよいし、メモリに格納されるプログラムを実行するプロセッサ、中央処理装置（ＣＰＵ（Central Processing Unit）、処理装置、演算装置、マイクロプロセッサ、マイクロコンピュータ、ＤＳＰ（Digital Signal Processor））が適用されてもよい。
【００２７】
処理回路５０が専用のハードウェアである場合、処理回路５０は、例えば、単一回路、複合回路、プログラム化したプロセッサ、並列プログラム化したプロセッサ、ＡＳＩＣ（Application Specific Integrated Circuit）、ＦＰＧＡ（Field-Programmable Gate Array）、またはこれらを組み合わせたものなどが該当する。目的地設定装置１０の各要素の機能のそれぞれは、複数の処理回路で実現されてもよいし、それらの機能がまとめて一つの処理回路で実現されてもよい。
【００２８】
図４は、処理回路５０がプロセッサを用いて構成されている場合における目的地設定装置１０のハードウェア構成を示している。この場合、目的地設定装置１０の各要素の機能は、ソフトウェア等（ソフトウェア、ファームウェア、またはソフトウェアとファームウェア）との組み合わせにより実現される。ソフトウェア等はプログラムとして記述され、メモリ５２に格納される。処理回路５０としてのプロセッサ５１は、メモリ５２に記憶されたプログラムを読み出して実行することにより、各部の機能を実現する。すなわち、目的地設定装置１０は、処理回路５０により実行されるときに、ユーザが指定したジャンルの施設を検索する処理と、検索により検出された施設の利用状況を示す利用状況情報を取得する処理と、利用状況情報に基づいて、検索により検出された施設の利用状況を示す画面を表示装置２５に表示させる処理と、その画面に表示された施設のうちからユーザが選択した施設を目的地として設定する処理と、が結果的に実行されることになるプログラムを格納するためのメモリ５２を備える。換言すれば、このプログラムは、目的地設定装置１０の各要素の動作の手順や方法をコンピュータに実行させるものであるともいえる。
【００２９】
ここで、メモリ５２は、例えば、ＲＡＭ（Random Access Memory）、ＲＯＭ（Read Only Memory）、フラッシュメモリー、ＥＰＲＯＭ（Erasable Programmable Read Only Memory）、ＥＥＰＲＯＭ（Electrically Erasable Programmable Read Only Memory）などの、不揮発性または揮発性の半導体メモリ、ＨＤＤ（Hard Disk Drive）、磁気ディスク、フレキシブルディスク、光ディスク、コンパクトディスク、ミニディスク、ＤＶＤ（Digital Versatile Disc）およびそのドライブ装置等、または、今後使用されるあらゆる記憶媒体であってもよい。
【００３０】
以上、目的地設定装置１０の各要素の機能が、ハードウェアおよびソフトウェア等のいずれか一方で実現される構成について説明した。しかしこれに限ったものではなく、目的地設定装置１０の一部の要素を専用のハードウェアで実現し、別の一部の要素をソフトウェア等で実現する構成であってもよい。例えば、一部の要素については専用のハードウェアとしての処理回路５０でその機能を実現し、他の一部の要素についてはプロセッサ５１としての処理回路５０がメモリ５２に格納されたプログラムを読み出して実行することによってその機能を実現することが可能である。
【００３１】
以上のように、目的地設定装置１０は、ハードウェア、ソフトウェア等、またはこれらの組み合わせによって、上述の各機能を実現することができる。
【００３２】
図５は、実施の形態１に係る目的地設定装置１０の動作を示すフローチャートである。以下、図５を参照しつつ、目的地設定装置１０の動作を説明する。また、以下では表示装置２５に表示される画面の例も図示するが、本実施の形態では、表示装置２５は操作入力装置２１と一体的に構成されたタッチパネルであるものとする。
【００３３】
例えば図６のような操作メニュー画面が表示装置２５に表示された状態で、ユーザが「施設検索」ボタンにタッチすると目的地設定装置１０が起動する。目的地設定装置１０が起動すると、表示処理部１３は、例えば図７のような施設ジャンル選択画面を表示装置２５に表示させて、検索する施設のジャンルを指定するようユーザに促す（ステップＳ１０１）。図７では、１つのジャンルだけが指定されるようにラジオボタンを用いてジャンルを選択する施設ジャンル選択画面を示したが、複数のジャンルを指定できるようにラジオボタンに代えてチェックボックスを用いてもよい。
【００３４】
例えば図７の施設ジャンル選択画面で、ユーザが任意のジャンルを選択して「検索」ボタンにタッチすると、施設検索部１１が、指定されたジャンルの施設を検索する（ステップＳ１０２）。続いて情報取得部１２が、施設検索部１１により検出された施設の利用状況情報を施設情報サーバ１００から取得する（ステップＳ１０３）。
【００３５】
次に、表示処理部１３は、施設検索部１１よる検索結果を、検出された施設の利用状況と共に、表示装置２５に表示させる（ステップＳ１０４）。具体的には、表示処理部１３は、例えば図８のような検索結果画面を表示装置２５に表示させる。ユーザは、検索結果画面を操作することで、施設検索部１１が検出した施設のうちから、目的地として設定したい施設を選択することができる。
【００３６】
図８の検索結果画面は、ユーザが指定したジャンルが「トイレ」であった場合の例である。この検索結果画面には、施設検索部１１によって検出された施設が現在位置から近い順に表示されると共に、各施設の利用状況を示すアイコンが表示されている。利用状況を示すアイコンのデザインは任意のものでよい。例えば、施設内の設備（例えばレストランのテーブル、トイレであれば便器など）の利用率が０％〜２０％の施設は「空」の丸囲み文字を含む青色のアイコンで示し、設備の利用率が２１％〜５０％の施設は「空」の文字を含む青色のアイコンで示し、設備の利用率が５１％〜８０％の施設は「混」の文字を含むオレンジ色のアイコンで示し、設備の利用率が８１％〜９９％の施設は「混」の丸囲み文字を含むオレンジ色のアイコンで示し、設備の利用率が１００％の施設は「満」の文字を含む赤色のアイコンで示すことなどが考えられる。
【００３７】
また、ユーザが図８の検索結果画面の「詳細」ボタンにタッチすると、表示処理部１３は、表示装置２５の表示を、図９のような利用状況詳細画面に切り替える。利用状況詳細画面は、施設の利用状況を検索結果画面よりも詳細に示す画面である。図９の利用状況詳細画面には、利用状況の表示として、施設内の設備の利用率の表示と、施設の利用を待っている人数の表示とが含まれている。施設の利用を待っている人数の代わりに、施設を利用するための待ち時間を表示させてもよい。また図９のように、設備の利用率の表示態様を、その利用率の高さに応じて変化させてもよい。例えば、設備の利用率が０％〜５０％のときは青色の文字、設備の利用率が５１％〜９９％の施設はオレンジ色の文字、設備の利用率が１００％のときは赤色の文字で、利用率を示すことなどが考えられる。
【００３８】
さらに、ユーザが図９の利用状況詳細画面の「ＭＡＰ」ボタンにタッチすると、表示処理部１３は、表示装置２５の表示を、図１０のような利用状況マップ画面に切り替える。利用状況マップ画面は、施設内の設備の位置および当該設備の利用状況を示すマップを表示する画面である。図１０の利用状況マップ画面では、利用中の設備（便器または洗面台）と利用されていない設備とが互いに異なる色で表示されることで、各設備が利用中かどうか識別可能になっている。ユーザは、利用状況マップ画面により、施設の利用状況だけでなく、各設備の位置を確認することができる。なお、各施設のマップのデータ（設備の配置のデータ）は、地図情報記憶装置２３に記憶されている地図情報に含まれていてもよいし、施設情報サーバ１００から配信されてもよい。
【００３９】
ここでは、検索結果画面から、利用状況詳細画面を経て、利用状況マップ画面へ移行する例を示したが、例えば、検索結果画面に「ＭＡＰ」ボタンを配置して、検索結果画面から利用状況マップ画面へ直接移行できるようにしてもよい。
【００４０】
図５に戻り、ユーザが目的地とする施設を選択すると、目的地設定部１４は、その選択された施設を目的地として設定する（ステップＳ１０５）。ただし、本実施の形態では、目的地設定部１４は、設定された目的地を確定させる前に、施設の利用状況情報を参照して、目的地の施設が現在利用可能か否かを確認する（ステップＳ１０６）。施設が利用可能かどうかの判断基準はどのようなものでもよい。例えば、設備の利用率が１００％の場合にだけ利用不可能と判断してもよいし、設備の利用率が予め定められた閾値（例えば９０％）を超えていれば、間もなく１００％に達すると判断して、利用不可能とみなしてもよい。またその閾値は、施設ごとに、あるいは施設のジャンルごとに異なっていてもよい。
【００４１】
目的地の施設が現在利用できない状況であった場合（ステップＳ１０６でＮＯ）。表示処理部１３は、例えば図１１のような確認画面を表示することで、目的地の施設が現在利用できない状況である旨をユーザに通知すると共に、当該施設を目的地として確定させるか否かをユーザに確認する（ステップＳ１０７）。ユーザが図１１の確認画面の「はい」ボタンにタッチすると、目的地設定部１４は目的地を確定させ（ステップＳ１０８でＹＥＳ）、ナビゲーション装置２０にその目的地への案内を開始させる（ステップＳ１０９）。しかし、ユーザが図１１の確認画面の「いいえ」ボタンにタッチすると、目的地設定部１４は目的地を確定させず（ステップＳ１０８でＮＯ）、ステップＳ１０４へ戻り、ユーザに他の施設を目的地として選択するよう促す。
【００４２】
一方、目的地の施設が現在利用できる状態であれば（ステップＳ１０６でＹＥＳ）、目的地設定部１４はそのまま目的地を確定し、ナビゲーション装置２０にその目的地への案内を開始させる（ステップＳ１０９）。
【００４３】
実施の形態１に係る目的地設定装置１０によれば、施設の検索結果が行われると、検出された施設とその利用状況が表示装置２５に表示される。そのため、ユーザは、各施設の利用状況を考慮して目的地を設定することができる。
【００４４】
なお、ナビゲーション装置２０に目的地が設定された後（すなわち、ナビゲーション装置２０による案内が開始された後）は、目的地設定装置１０は動作を終了してもよい。しかし、実施の形態１では、目的地設定装置１０が目的地の施設の利用状況を引き続き監視するものとする。図１２は、目的地設定後における目的地設定装置１０の動作を示すフローチャートである。以下、図１２を参照しつつ、目的地設定後における目的地設定装置１０の動作を説明する。
【００４５】
目的地設定部１４により目的地が設定され、ナビゲーション装置２０が目的地への経路案内を開始した後、情報取得部１２は、その目的地の施設の利用状況情報を予め定められた周期で取得する（ステップＳ２０１）。また、目的地設定部１４は、情報取得部１２が新たに取得した利用状況情報に基づいて、目的地の施設が現在利用可能か否かを確認する（ステップＳ２０２）。
【００４６】
目的地の施設が現在利用可能な状況であれば（ステップＳ２０２でＹＥＳ）、目的地設定部１４は、ナビゲーション装置２０にその目的地までの案内を継続させる（ステップＳ２０３）。そして、自車両が目的地に到着していれば（ステップＳ２０４でＹＥＳ）、目的地設定装置１０は動作を終了する。自車両が目的地に到着していなければ（ステップＳ２０４でＮＯ）、ステップＳ２０１へ戻る。
【００４７】
一方、経路案内が行われている途中で、目的地の施設が現在利用できない状況になった場合（ステップＳ２０２でＮＯ）、表示処理部１３が、例えば図１３のような確認画面を表示することで、目的地の施設が利用できない状況になったことをユーザに通知すると共に、目的地を他の施設に変更するか否かをユーザに確認する（ステップＳ２０５）。図１３の確認画面でユーザが「はい」ボタンにタッチすると、目的地設定部１４は、目的地が変更されると判断し（ステップＳ２０６でＹＥＳ）、情報取得部１２に、他の施設の利用状況情報を取得させる。そして目的地設定部１４は、他の施設の利用状況情報に基づいて、利用可能な他の施設に目的地を変更する（ステップＳ２０７）。そして、ナビゲーション装置２０に新たな目的地への経路案内を開始させた後（ステップＳ２０８）、ステップＳ２０１へと戻る。
【００４８】
ステップＳ２０７における新たな目的地の選択方法は任意の方法でよい。例えば、利用可能な他の施設のうちから、現在位置に最も近いものが自動的に選択されてもよいし、変更前の目的地から最も近いものが自動的に選択されてもよい。あるいは、表示処理部１３が、図８と同様の検索結果画面を表示装置２５に表示して、新たな目的地にする施設をユーザに選択させてもよい。ただし、ユーザが自車両を運転中であることを考慮すると、新たな目的地が自動的に選択されることが好ましい。
【００４９】
図１３の確認画面でユーザが「いいえ」ボタンにタッチすると、目的地設定部１４は、目的地を変更せず（ステップＳ２０６でＮＯ）、ナビゲーション装置２０に目的地への案内を継続させる（ステップＳ２０９）。このように、目的地の施設が利用できない状況になってもユーザが目的地を変更しなかった場合には、ユーザがその目的地へ向かう強い意思を持っていると判断できるため、ステップＳ２０９の後は図１２の処理を終了して、目的地の施設の利用状況の監視を止める。そうすることにより、図１３の確認画面が何度も表示装置２５に表示されてユーザが煩わしく感じることが防止される。
【００５０】
＜実施の形態２＞
図１４は、実施の形態２に係るナビゲーションシステムの構成図である。このナビゲーションシステムの構成は、図１の構成に対し、目的地設定装置１０に利用状況予測部１５を追加したものとなっている。
【００５１】
また、実施の形態２では、施設情報サーバ１００は、施設の現在の利用状況を示す利用状況情報だけでなく、施設の時間毎の利用状況の統計を示す利用統計情報を配信しているものとする。利用統計情報は、例えば、設備の利用率の高い時間帯（すなわち、施設が混雑する時間帯）や、設備の利用率の低い時間帯（すなわち、施設が空く時間帯）が分かる情報である。目的地設定装置１０の情報取得部１２は、施設検索部１１が検出した施設の利用状況情報および利用統計情報の両方を、施設情報サーバ１００から取得することができる。
【００５２】
利用状況予測部１５は、自車両の目的地への到着予定時刻と、情報取得部１２が取得した利用統計情報とに基づいて、到着予定時刻における目的地の施設の利用状況を予測する。具体的には、利用状況予測部１５は、目的地への到着予定時刻が当該目的地の施設が混雑する時間帯に含まれるかどうかを判断することによって、自車両が目的地へ到着したときに施設を利用できるかどうかを予測する。なお、目的地への到着予定時刻は、利用状況予測部１５が算出してもよいが、一般にナビゲーション装置は目的地への到着予定時刻を算出する機能を有しているため、利用状況予測部１５がナビゲーション装置２０に計算させてもよい。
【００５３】
図１５は、実施の形態２に係る目的地設定装置１０の動作を示すフローチャートである。以下、図１５を参照しつつ、実施の形態２における目的地設定装置１０の動作を説明する。
【００５４】
実施の形態１と同様に、目的地設定装置１０が起動すると、表示処理部１３は、例えば図７のような施設ジャンル選択画面を表示装置２５に表示させて、検索する施設のジャンルを指定するようユーザに促す（ステップＳ３０１）。そして、例えば図７の施設ジャンル選択画面で、ユーザが任意のジャンルを選択して「検索」ボタンにタッチすると、施設検索部１１が、指定されたジャンルの施設を検索する（ステップＳ３０２）。続いて情報取得部１２が、施設検索部１１により検出された施設の利用状況情報および利用統計情報を施設情報サーバ１００から取得する（ステップＳ３０３）。
【００５５】
次に、表示処理部１３は、施設検索部１１よる検索結果を、検出された施設の利用状況と共に、表示装置２５に表示させる（ステップＳ３０４）。具体的には、表示処理部１３は、例えば図８のような検索結果画面を表示装置２５に表示させる。ユーザは、検索結果画面を操作することで、施設検索部１１が検出した施設のうちから、目的地として設定したい施設を選択することができる。
【００５６】
実施の形態２でも、ユーザが図８の検索結果画面の「詳細」ボタンにタッチすると、表示処理部１３は、表示装置２５の表示を、図９のような利用状況詳細画面に切り替える。さらに、ユーザが図９の利用状況詳細画面の「ＭＡＰ」ボタンにタッチすると、表示処理部１３は、表示装置２５の表示を、図１０のような利用状況マップ画面に切り替える。本実施の形態では、情報取得部１２が利用状況情報だけでなく利用統計情報も取得しているため、利用状況詳細画面には、図１６のように、施設が混雑すると予想される時間の表示を含ませてもよい。
【００５７】
図１５に戻り、ユーザが目的地とする施設を選択すると、目的地設定部１４は、その選択された施設を目的地として設定する（ステップＳ３０５）。このとき実施の形態１と同様に、目的地設定部１４は、設定された目的地を確定させる前に、施設の利用状況情報を参照して、目的地の施設が現在利用可能か否かを確認する（ステップＳ３０６）。
【００５８】
目的地の施設が現在利用できない状況であった場合（ステップＳ３０６でＮＯ）。表示処理部１３は、例えば図１１のような確認画面を表示することで、目的地の施設が現在利用できない状況であることをユーザに通知すると共に、当該施設を目的地として確定させるか否かをユーザに確認する（ステップＳ３０７）。ユーザが図１１の確認画面の「はい」ボタンにタッチすると、目的地設定部１４は目的地を確定させ（ステップＳ３０８でＹＥＳ）、ナビゲーション装置２０にその目的地への案内を開始させる（ステップＳ３０９）。しかし、ユーザが図１１の確認画面の「いいえ」ボタンにタッチすると、目的地設定部１４は目的地を確定させず（ステップＳ３０８でＮＯ）、ステップＳ３０４へ戻り、ユーザに他の施設を目的地として選択するよう促す。
【００５９】
一方、目的地の施設が現在利用できる状態であれば（ステップＳ３０６でＹＥＳ）、続いて、利用状況予測部１５が、自車両が目的地へ到着したときに当該目的地の施設を利用できるかどうかを予測する（ステップＳ３１０）。自車両が目的地へ到着したときに施設を利用可能かどうかの判断基準はどのようなものでもよい。例えば、自車両の到着予定時刻が、施設を利用できない状況になる確率が予め定められた閾値（例えば９０％）を超える時間帯に該当すれば、今回も利用できない状況になると予測することが考えられる。またその閾値は、施設ごとに、あるいは施設のジャンルごとに異なっていてもよい。
【００６０】
目的地への到着時に施設を利用可能と予測された場合（ステップＳ３１１でＹＥＳ）、目的地設定部１４はそのまま目的地を確定し、ナビゲーション装置２０にその目的地への案内を開始させる（ステップＳ３０９）。
【００６１】
しかし、目的地への到着時に施設を利用できないと予測された場合（ステップＳ３１１でＮＯ）、表示処理部１３は、例えば図１７のような確認画面を表示することで、目的地に到着しても施設を利用できないおそれがある旨をユーザに通知すると共に、当該施設を目的地として確定させるか否かをユーザに確認する（ステップＳ３１２）。ユーザが図１７の確認画面の「はい」ボタンにタッチすると、目的地設定部１４は目的地を確定させ（ステップＳ３１３でＹＥＳ）、ナビゲーション装置２０にその目的地への案内を開始させる（ステップＳ３０９）。しかし、ユーザが図１７の確認画面の「いいえ」ボタンにタッチすると、目的地設定部１４は目的地を確定させず（ステップＳ３１３でＮＯ）、ステップＳ３０４へ戻り、ユーザに他の施設を目的地として選択するよう促す。
【００６２】
実施の形態２に係る目的地設定装置１０によれば、目的地へ到着したときに施設を利用可能できないと予測されることをユーザに警告することができる。ユーザはその予測結果も考慮して、目的地を設定することができる。
【００６３】
実施の形態２においても、ナビゲーション装置２０に目的地が設定された後（すなわち、ナビゲーション装置２０による案内が開始された後）は、目的地設定装置１０は動作を終了してもよいが、実施の形態１と同様に図１２のフローを実行してもよい。
【００６４】
なお、本発明は、その発明の範囲内において、各実施の形態を自由に組み合わせたり、各実施の形態を適宜、変形、省略することが可能である。
【符号の説明】
【００６５】
１０  目的地設定装置、１１  施設検索部、１２  情報取得部、１３  表示処理部、１４  目的地設定部、１５  利用状況予測部、２０  ナビゲーション装置、２１  操作入力装置、２２  現在位置算出装置、２３  地図情報記憶装置、２４  通信装置、２５  表示装置、１００  施設情報サーバ、１０１〜１０８  施設 。
【図１】
2018128363.tif 000003
【図２】
2018128363.tif 000004
【図３】
2018128363.tif 000005
【図４】
2018128363.tif 000006
【図５】
2018128363.tif 000007
【図６】
2018128363.tif 000008
【図７】
2018128363.tif 000009
【図８】
2018128363.tif 000010
【図９】
2018128363.tif 000011
【図１０】
2018128363.tif 000012
【図１１】
2018128363.tif 000013
【図１２】
2018128363.tif 000014
【図１３】
2018128363.tif 000015
【図１４】
2018128363.tif 000016
【図１５】
2018128363.tif 000017
【図１６】
2018128363.tif 000018
【図１７】
2018128363.tif 000019